(57)【要約】【課題】フィルタ中の空気を完全に追い出せるように工夫して、フィルタ全体の浄化性能を有効に活用できるとともに、未浄化水がスムーズに通過できるようにする。【解決手段】上瓶体５と下瓶体６とが分割可能に結合されてなる中空の浄水器本体７が備えられ、この浄水器本体７内に設けられた仕切り部材８の凹部８ａ内に第１フィルタ１６が設けられて、上瓶体５内の注水が凹部８ａとの間の隙間を通って、第１フィルタ１６を下面から上面に通過するとともに、サイフォン管２１の上端２１ａから下端２１ｂを通って、第２フィルタ２７を上面から下面に通過して下瓶体６内に溜められるように誘導する浄水路ａ〜ｄが形成されている。【選択図】　図１
0003096959.tif 000002
【実用新案登録請求の範囲】
【請求項１】
上部に注水口を有する上瓶体と、下部に排水口を有する下瓶体とが分割可能に結合されてなる中空の浄水器本体が備えられ、この浄水器本体内を上瓶体側と下瓶体側とに仕切るとともに下瓶体方向に突出する凹部が形成された仕切り部材が設けられ、上記凹部内に、中心を上下方向に貫通するとともに凹部の底部を実質的に貫通するサイフォン管を有する第１フィルタが設けられ、上記凹部の下瓶体側の面に対向して第２フィルタが設けられて、上瓶体内の注水が凹部との間の隙間を通って、第１フィルタを下面から上面に通過するとともに、サイフォン管の上端から下端を通って、第２フィルタを上面から下面に通過して下瓶体内に溜められるように誘導する浄水路が形成されていることを特徴とするサイフォン式浄水器。
【請求項２】
上記第１フィルタは、有頂円筒状のケースに収納され、このケースの頂部がアーチ形に上方に膨出されて第１フィルタの上面に取付けた有孔上板との間に浄水路用密閉空間が形成されるとともに、上記ケースの下部開口に、２枚の有孔下板が上下間隔を隔てて取付けられ、この両有孔下板の間に補助フィルタが設けられている請求項１記載のサイフォン式浄水器。
【請求項３】
上記サイフォン管の上端は、上記有孔上板を貫通して上記浄水路用密閉空間内に臨まされているとともに、その下端は、上記２枚の有孔下板と上記凹部の底部とを実質的に貫通して上記第２フィルタの上部付近に臨まされている請求項２記載のサイフォン式浄水器。
【請求項４】
上記第１フィルタを収納するケースの側壁に段部が形成され、この段部と上記凹部の内壁との間に固定リングが配置され、この固定リングは、凹部の内壁にねじ部で着脱可能に螺合固定されて、この固定リングにより、第１フィルタのケースがセンタリングされるとともに上方移動が規制されるようにした請求項１記載のサイフォン式浄水器。
【請求項５】
上記凹部の下瓶体側の面と上記第２フィルタの上面との間に、上記凹部の底部を実質的に貫通したサイフォン管の下端を受容する遮水凹部を有する有孔隔板が取付けられている請求項１記載のサイフォン式浄水器。
【請求項６】
上記凹部の底部中央に、上方と下方にそれぞれ突出する管部が形成されて、上記サイフォン管の下端が上管部に接続されて、下管部が上記第２フィルタの上面付近に臨まされている請求項１記載のサイフォン式浄水器。
【請求項７】
上記第１フィルタは、２個以上のフィルタが上下に積層されて有頂円筒状のケースに収納され、このケースに中心貫通穴が形成されるとともに、ケースの上面中心に浄水路用密閉空間を形成する密閉部材が設けられ、上記サイフォン管は、ケースの中心貫通穴を上下方向に貫通して、下端が自由端で、上端は、差し込み接続された継ぎ管が上記密閉部材の固定管部にねじ結合されて支承され、上記密閉部材内におけるケースの上面と継管とに通水孔が形成されている請求項１記載のサイフォン式浄水器。
【請求項８】
上記ケースの中心貫通穴に芯管が貫通され、この芯管の上端は上記継ぎ管に連結されるとともに、芯管の下端にフランジ部が形成され、このフランジ部は、上記凹部の底部の貫通穴の周囲に形成された窪み部に嵌め込まれている請求項７記載のサイフォン式浄水器。
【請求項９】
上記第２フィルタは、有底円筒状に形成された陶磁材製であって、上記凹部の下瓶体側の面に開口端が固定されている請求項７または８記載のサイフォン式浄水器。
【請求項１０】
上記上瓶体の注水口は、着脱可能な蓋部材で閉じられている請求項１または７記載のサイフォン式浄水器。
【請求項１１】
上記下瓶体の排水口は、開閉可能な弁部材で閉じられている請求項１または７記載のサイフォン式浄水器。
【考案の詳細な説明】
【０００１】
【考案の属する技術分野】
本考案は、サイフォン式浄水器に関する。
【０００２】
【従来の技術】
従来の浄水器は、中空の浄水器本体内にフィルタを配置して、浄水器本体の上部に注水口から注水した未浄化水は、フィルタを通過して浄化された後に、浄水器本体の下部の排水口から浄化水として貯水槽等に供給するようになっている。
【０００３】
【考案が解決しようとする課題】
しかしながら、未浄化水は、フィルタを上から下に通るようになるから、フィルタ中に含まれる空気は、未浄化水の通過によって追い出されないので、フィルタ全体の浄化性能を有効に活用できないという問題があった。
【０００４】
また、フィルタ中に含まれる空気は、未浄化水が通過するときの抵抗となって、スムーズに通過できないという問題があった。
【０００５】
本考案は、上記問題を解消するためになされたもので、フィルタ中の空気を完全に追い出せるように工夫して、フィルタ全体の浄化性能を有効に活用できるとともに、未浄化水がスムーズに通過できるようにしたサイフォン式浄水器を提供することを課題とするものである。
【０００６】
【課題を解決するための手段】
上記課題を解決するために、本考案は、上部に注水口を有する上瓶体と、下部に排水口を有する下瓶体とが分割可能に結合されてなる中空の浄水器本体が備えられ、この浄水器本体内を上瓶体側と下瓶体側とに仕切るとともに下瓶体方向に突出する凹部が形成された仕切り部材が設けられ、上記凹部内に、中心を上下方向に貫通するとともに凹部の底部を実質的に貫通するサイフォン管を有する第１フィルタが設けられ、上記凹部の下瓶体側の面に対向して第２フィルタが設けられて、上瓶体内の注水が凹部との間の隙間を通って、第１フィルタを下面から上面に通過するとともに、サイフォン管の上端から下端を通って、第２フィルタを上面から下面に通過して下瓶体内に溜められるように誘導する浄水路が形成されていることを特徴とするサイフォン式浄水器を提供するものである。
【０００７】
上記第１フィルタは、有頂円筒状のケースに収納され、このケースの頂部がアーチ形に上方に膨出されて第１フィルタの上面に取付けた有孔上板との間に浄水路用密閉空間が形成されるとともに、上記ケースの下部開口に、２枚の有孔下板が上下間隔を隔てて取付けられ、この両有孔下板の間に補助フィルタが設けられている構成が好ましい。
【０００８】
上記サイフォン管の上端は、上記有孔上板を貫通して上記浄水路用密閉空間内に臨まされているとともに、その下端は、上記２枚の有孔下板と上記凹部の底部とを実質的に貫通して上記第２フィルタの上部付近に臨まされている構成が好ましい。
【０００９】
上記第１フィルタを収納するケースの側壁に段部が形成され、この段部と上記凹部の内壁との間に固定リングが配置され、この固定リングは、凹部の内壁にねじ部で着脱可能に螺合固定されて、この固定リングにより、第１フィルタのケースがセンタリングされるとともに上方移動が規制されるようにした構成が好ましい。
【００１０】
上記凹部の下瓶体側の面と上記第２フィルタの上面との間に、上記凹部の底部を実質的に貫通したサイフォン管の下端を受容する遮水凹部を有する有孔隔板が取付けられている構成が好ましい。
【００１１】
上記凹部の底部中央に、上方と下方にそれぞれ突出する管部が形成されて、上記サイフォン管の下端が上管部に接続されて、下管部が上記第２フィルタの上面付近に臨まされている構成が好ましい。
【００１２】
上記第１フィルタは、２個以上のフィルタが上下に積層されて有頂円筒状のケースに収納され、このケースに中心貫通穴が形成されるとともに、ケースの上面中心に浄水路用密閉空間を形成する密閉部材が設けられ、上記サイフォン管は、ケースの中心貫通穴を上下方向に貫通して、下端が自由端で、上端は、差し込み接続された継ぎ管が上記密閉部材の固定管部にねじ結合されて支承され、上記密閉部材内におけるケースの上面と継管とに通水孔が形成されている構成とすることができる。
【００１３】
上記ケースの中心貫通穴に芯管が貫通され、この芯管の上端は上記継ぎ管に連結されるとともに、芯管の下端にフランジ部が形成され、このフランジ部は、上記凹部の底部の貫通穴の周囲に形成された窪み部に嵌め込まれている構成とすることができる。
【００１４】
上記第２フィルタは、有底円筒状に形成された陶磁材製であって、上記凹部の下瓶体側の面に開口端が固定されている構成とすることができる。
【００１５】
上記上瓶体の注水口は、着脱可能な蓋部材で閉じられている構成が好ましい。
【００１６】
上記下瓶体の排水口は、開閉可能な弁部材で閉じられている構成が好ましい。
【００１７】
【考案の作用および効果】
本考案によれば、未浄化水は、第１フィルタを下から上に通るようになるから、第１フィルタ中に含まれる空気は、未浄化水の通過によって下から上に追い出されて排出されるようになる。
【００１８】
これにより、第１フィルタから空気が完全に抜かれるので、第１フィルタ全体の浄化性能を有効に活用できて、浄化性能が向上するとともに、第１フィルタの耐久性が長くなる。また、第１フィルタ中に空気が残らないので、未浄化水が通過するときの抵抗が少なくなって、スムーズに通過できるようになる。
【００１９】
さらに、未浄化水は、第１フィルタを下から上に通るから、未浄化水に微小な不純物が含まれている場合、未浄化水の水流方向は、この不純物の重量による沈殿方向（下向き）と逆向き（上向き）となるので、不純物が第１フィルタを通過するおそれが少なくなる。
【００２０】
さらにまた、第２フィルタを設けて再浄化しているから、浄化性能がより向上するようになる。
【００２１】
また、浄水器本体は、合理的に構成されて、上瓶体と下瓶体と仕切り板とを分割することができるから、内部洗浄やフィルタ洗浄若しくは交換等のメンテナンスを容易にすることができる。
【００２２】
【考案の実施の形態】
以下、本考案の実施の形態を図面を参照して詳細に説明する。
【００２３】
図１は、第１実施形態のサイフォン式浄水器１の側面断面図、図２（ａ）〜（ｄ）は、それぞれ第１フィルタ組み立て体２Ａ〜２Ｄの側面断面図である。
【００２４】
上記サイフォン式浄水器１は、上部に注水口５ａを有する上瓶体５と、下部に排水口６ａを有する下瓶体６とでなる中空の浄水器本体７を備えている。
【００２５】
上記浄水器本体７内には、この浄水器本体７内を上瓶体５側と下瓶体６側とに仕切る仕切り部材８が設けられ、この仕切り部材８は、上瓶体５の下端外向きツバ縁５ｂと下瓶体６の上端縁６ｂとの間に挟み込まれるようになる。なお、上瓶体５の下端縁と仕切り板８の上面との間には、シールリング９が介設されている。
【００２６】
上記浄水器本体４の外周には第１固定リング部材１０が嵌め合わされ、この第１固定リング部材１０は、下部内周に形成された雌ねじ部を下瓶体６の上部外周に形成された雄ねじ部にねじ込みながら、上端内向きツバ部１０ａで上瓶体５の下端外向きツバ縁５ｂを押え込むようになる。これにより、上瓶体５と下瓶体６とが仕切り部材８を介して一体的に水密結合されるようになる。
【００２７】
上記上瓶体５に注水口５ａは、着脱可能な蓋部材１１で閉じられていて、この蓋部材１１を開くことにより、未浄化水を注水口５ａから上瓶体５内に供給することができる。
【００２８】
上記下瓶体６の排水口６ａは、弁部材１２で開閉されるようになる。すなわち、下瓶体６の下部には弁座金具１２Ａが取付けられ、この弁座金具１２Ａにはフロート弁１２Ｂが上下動可能に支持されている。
【００２９】
そして、貯水槽１３の水面Ｌ２にフロート弁１２Ｂを浮かせて、水面Ｌ２がＬ１まで下がると、フロート弁１２Ｂが図１のように自重で下がって、その弁部１２ａが弁座金具１２Ａの弁穴部１２ｂを開くことにより、矢印ｇで示すように、排水口６ａから弁穴部１２ｂを通って貯水槽１３に浄化水が供給されるようになる。
【００３０】
この浄化水の供給で水面Ｌ１がＬ２まで上がると、フロート弁１２Ｂが浮力で上がって、その弁部１２ａが弁座金具１２Ａの弁穴部１２ｂを閉じることにより、貯水槽１３に浄化水が供給されなくなる。
【００３１】
上記弁部材１２は、水道の蛇口用コックのようなものでも良い。
【００３２】
上記仕切り部材８の中央には、下方（下瓶体６方向）に深く突出する凹部８ａが形成され、この凹部８ａの底部８ｆの中央には、上方と下方にそれぞれ突出する上・下管部８ｂ，８ｃが形成されるとともに、底部８ｆの周囲には、円周方向に間隔を隔てて置き部８ｄが形成されている。
【００３３】
上記仕切り部材８の凹部８ａ内には、第１フィルタ組立体２Ａが上方から挿入されて、上記置き部８ｄにケース１５の下端部が置かれて、ケース１５の外周面及び下面と凹部８ａの内面との間に隙間を隔ててセットされるようになる。
【００３４】
このケース１５の側壁には段部１５ｃが形成され、この段部１５ｃと上記凹部８ａの内壁との間に第２固定リング２３が嵌め合わされ、この第２固定リング部材２３は、下部外周に形成された雄ねじ部を凹部８ａの上部内周に形成された雌ねじ部にねじ込みながら、下向きツバ部２３ａでケース１５の段部１５ｃを押え込むようになる。これにより、ケース１５が凹部８ａ内にセンタリングされるとともに上方移動が規制されて取付けられるようになる。そして、第２固定リング部材２３をねじ緩めると、ケース１５を凹部８ａ内から取り出すことができる。上記第２固定リング２３には、通水穴２３ｂが形成されている。
【００３５】
図２（ａ）にも示すように、上記ケース１５は有頂円筒状に形成されて、このケース１５の頂部１５ａはアーチ状に上方に膨出されている。
【００３６】
第１フィルタ１６は、上記ケース１５内に充填状態で収納されて、その上面には有孔上板（有孔板とはパンチングメタル状の孔あき板をいう。以下、同様。）１７が取付けられいて、この有孔上板１７とケース１５の頂部１５ａとの間に、浄水路用密閉空間１８が形成されるようになる。
【００３７】
上記ケース１５の下部開口には、２枚の有孔下板１９ａ，１９ｂが上下間隔を隔てて取付けられていて、この両有孔下板１９ａ，１９ｂの間には、補助フィルタ２０が設けられている。
【００３８】
上記第１フィルタ１６の中心には、サイフォン管２１が上下方向に貫通するように設けられている。このサイフォン管２１の上端２１ａは、上記有孔上板１７を貫通して上記浄水路用密閉空間１８内に臨まされている。
【００３９】
上記ケース１５の頂部１５ａの内面中央には、下方に突出する短寸の円筒部１５ｂが形成されて、この円筒部１５ｂの下部に上記サイフォン管２１の上端２１ａが差し込み接続されている。上記円筒部１５ｂの上部の周面には通水孔（具体的に図示せず。）が形成されている。
【００４０】
上記サイフォン管２１の下端２１ｂは、上記両有孔下板１９ａ，１９ｂを貫通して上記仕切り部材８の凹部８ａの上管部８ｂに差し込み接続されている。なお、サイフォン管２１の下端２１ｂは、水漏れ防止のためにゴムリング２２で止着している。
【００４１】
上記仕切り部材８の凹部８ａの底部８ｆの外面には、第２フィルタ組立体３が設けられている。
【００４２】
第２フィルタ組立体３は、有底円筒状のカバー２６を備え、このカバー２６の底部はアーチ状に下方に膨出されて、この膨出部２６ａは有孔板となっている。
【００４３】
上記カバー２６内の上部には有孔隔板２８が設けられ、この有孔隔板２８の中心には、下方に突出する遮水凹部２８ａが形成されて、この遮水凹部２８ａに、上記仕切り部材８の凹部８ａの下管部８ｃが周囲に浄水路ａとなる隙間を隔てて挿入されている。つまり、この有孔隔板２８は、遮水凹部２８ａを除いて有孔板になっている。この遮水凹部２８ａは、サイフォン管２１と接続された下管部８ｃ（サイフォン管２１の下端の一部となる。）を受容することになる。また、この下管部８ｃは、第２フィルタ２７の上面付近に臨まされていることになる。
【００４４】
第２フィルタ２７は、ケース２９内に充填状態で収納されて、このケース２９の上面２９ａと底面２９ｂは有孔板になっている。上記ケース２９の中心には貫通穴２９ｃが形成され、この貫通穴２９ｃの上部に上記有孔隔板２８の窪み部２８ａが嵌まり込んでいる。なお、この貫通穴２９ｃと窪み部２８ａとの間をシールリングで水密にシールすることが好ましい。
【００４５】
上記カバー２６は、上部開口が上記仕切り部材８の凹部８ａの底部８ｆの外面の段部８ｅに嵌合されて固定され、この状態で、底部８ｆと第２フィルタ２７のケース２９の上面２９ａとの間に浄水路ｂとなる隙間を隔てるようになっている。
【００４６】
上記のように構成した第１実施形態のサイフォン式浄水器１の作用を説明する。
【００４７】
浄水器本体７の蓋部材１１を開いて、未浄化水を注水口５ａから上瓶体５内に供給すると、未浄化水は、矢印ｐで示すように、第２固定リング２３の通水穴２３ｂから仕切り部材８の凹部８ａと第１フィルタ組立体２Ａのケース１５との間の浄水路ｃとなる隙間に流入し、この凹部８ａの底部８ｆと有孔下板１９ｂとの間の浄水路ｄとなる隙間から、矢印ｑで示すように、有孔下板１９ｂ、補助フィルタ２０，有孔下板１９ａ、第１フィルタ１６、有孔上板１７を下から上に順に通って浄化されて第１次浄化水となる。
【００４８】
この第１次浄化水は、浄化路用密閉空間１８からケース１５の円筒部１５ｂの通水孔を通ってサイフォン管２１の上端２１ａに流入し、矢印ｒで示すように、このサイフォン管２１の下端２１ｂから仕切り部材８の凹部８ａの上・下管部８ｂ，８ｃを通り、第２フィルタ組立体３の有孔隔板２８の遮水凹部２８ａの浄水路ａとなる隙間と、凹部８ａの底部８ｆと第２フィルタ２７のケース２９の上面２９ａとの間の浄水路ｂとなる隙間とを通り、矢印ｓで示すように、ケース２９の上面２９ａ、第２フィルタ２７、ケース２９の底面２９ｂを上から下に順に通って再浄化されて第２次浄化水となり、カバー２６の有孔の膨出部２６ａから下瓶体６内に流入して溜められるようになる。
【００４９】
上記第１実施形態のサイフォン式浄水器１であれば、未浄化水は、第１フィルタ１６を下から上に通るようになるから、第１フィルタ１６中に含まれる空気は、未浄化水の通過によって下から上に追い出されて排出されるようになる。
【００５０】
これにより、第１フィルタ１６から空気が完全に抜かれるので、第１フィルタ１６全体の浄化性能を有効に活用できて、浄化性能が向上するとともに、第１フィルタ１６の耐久性が長くなる。また、第１フィルタ１６中に空気が残らないので、未浄化水が通過するときの抵抗が少なくなって、スムーズに通過できるようになる。
【００５１】
さらに、未浄化水は、第１フィルタ１６を下から上に通るから、未浄化水に微小な不純物が含まれている場合、未浄化水の水流方向は、この不純物の重量による沈殿方向（下向き）と逆向き（上向き）となるので、不純物が第１フィルタ１６を通過するおそれが少なくなる。
【００５２】
さらにまた、第２フィルタ２７を設けて再浄化しているから、浄化性能がより向上するようになる。なお、第１フィルタ１６を粗目とし、第２フィルタ２７を細目とするように、浄化性能の異なるものを用いることが好ましい。
【００５３】
また、第１固定リング部材１０をねじ緩めると、上瓶体５と下瓶体６と仕切り板８とを分割することができて、内部洗浄やフィルタ洗浄若しくは交換等のメンテナンスを容易にすることができる。特に、第１フィルタ組立体２Ａは、第２固定リング２３で着脱できるから、フィルタ洗浄若しくは交換が簡単に行える。
【００５４】
上記各フィルタ１６，２７（以下のフィルタも同様）は、例えば浄化性能を有する活性炭や麦飯石を好適に用いることができる。
【００５５】
上記サイフォン式浄水器１の第１フィルタ組立体２Ａは、例えば図２（ｂ）に示す第１フィルタ組立体２Ｂのように、有孔上板１７の下面中央に、第１フィルタ組立体２Ａにおけるケース１５の円筒部１５ｂに代えて、同構造の円筒部１７ａを形成して、この円筒部１７ａの下部に上記サイフォン管２１の上端２１ａを差し込み接続するようにしても良い。
【００５６】
また、図２（ｃ）に示す第３フィルタ組立体２Ｃのように、有孔上板１７の上面中央に、第１フィルタ組立体２Ａにおけるケース１５の円筒部１５ｂに代えて、円筒部１７ｂを形成して、この円筒部１７ｂの穴部に上記サイフォン管２１の上端２１ａを差し込み接続するようにしても良い。
【００５７】
さらに、図２（ｄ）に示す第４フィルタ組立体２Ｄのように、補助フィルタ２０と有孔下板１９ｂを省略しても良い。
【００５８】
図３は、第２実施形態のサイフォン式浄水器３１の側面断面図、図４（ａ）（ｂ）は、それぞれ第１フィルタ組み立て体３２Ａ，３２Ｂの側面断面図である。なお、第１実施形態のサイフォン式浄水器１と同一構成・作用の箇所は、同一番号を付して詳細な説明は省略する。
【００５９】
上記サイフォン式浄水器３１の浄水器本体７内に設けられる仕切り部材８の中央には、下方（下瓶体６方向）に浅く突出する凹部８ａが形成され、この凹部８ａの底部８ｆの中央には、窪み部８ｇと貫通穴８ｈとが形成されている。
【００６０】
上記仕切り部材８の凹部８ａ内には、第１フィルタ組立体３２Ａが上方から挿入されて、上記置き部８ｄにケース３５（Ａ，Ｂ）の下端部が置かれて、ケース３５（Ａ，Ｂ）の外周面及び下面と凹部８ａの内面との間に隙間を隔ててセットされるようになる。
【００６１】
図４（ａ）にも示すように、上記ケース３５（Ａ，Ｂ）は、有頂円筒状の上段ケース３５Ａと、有底円筒状の下段ケース３５Ｂとをシールリング３６を介して上下に積み重ねて構成されて、両ケース３５Ａ，３５Ｂには一連の中心貫通穴３５ａが形成されている。
【００６２】
上段ケース３５Ａ内の上部には、頂面３５ｂとの間に隙間を隔てて有孔上板３８ａが取付けられ、この有孔上板３８ａと有孔下板３８ｂとの間の空間に上段第１フィルタ３７Ａが充填状態で収納されている。
【００６３】
また、下段ケース３５Ｂの有孔上板３９ａと有孔下板３９ｂとの間の空間に下段第１フィルタ３７Ｂが充填状態で収納されている。なお、第１フィルタ３７Ａ，３７Ｂは、浄化性能の異なるものを用いることが好ましい。
【００６４】
上記上段ケース３５Ａの頂面３５ｂの中心貫通穴３５ａの周囲には通水穴３５ｃが形成されるとともに、この通水穴３５ｃの外周囲には取付け座３５ｄが形成されている。
【００６５】
上記上段ケース３５Ａの取付け座３５ｄにはドーム状の密閉部材４０がシールリング４３を介して固定されて、この取付け座３５ｄと密閉部材４０との間に、浄水路用密閉空間１８が形成されるようになる。
【００６６】
上記仕切り部材８の底部８ｆの窪み部８ｇに嵌り込む大径フランジ部４１ａを有する芯管４１が設けられ、この芯管４１は、上記両ケース３５Ａ，３５Ｂの中心貫通穴３５ａを頂面３５ｂ付近まで嵌合しながら貫通している。
【００６７】
上記フランジ部４１ａの下部には、上記貫通穴８ｈに嵌合する突起部４１ｂが形成されている。
【００６８】
上記芯管４１内には、上記サイフォン管２１が上下方向に貫通するように設けられている。このサイフォン管２１の上端２１ａは、芯管４１の上端にねじ部で結合される継ぎ管４２に差し込み接続されるとともに、この継ぎ管４２は、上記ドーム状部材４０の内面中央から下方に突出する短寸の固定筒部４０ａにねじ部で結合されている。上記継ぎ管４２の下部の周面には通水孔４２ａが形成されている。
【００６９】
上記サイフォン管２１の下端２１ｂは、芯管４１のフランジ部４１ａよりも下方に突出させて自由端としている。
【００７０】
上記芯管４１の突起部４１ｂ内の下面には、中心から下方に窪んだ窪み部４５ａを有するカバー部材４５が設けられ、この窪み部４５ａ内に上記サイフォン管２１の下端２１ｂが遊嵌されている。このカバー部材４５の窪み部４５ａには通水穴４５ｃが形成されている。
【００７１】
第２フィルタ組立体３３の第２フィルタ４６は、ツバ部４６ａを有して、有底円筒状に形成された陶磁（セラミックス）製であって、このツバ部４６ａがシールリング４７を介して上記芯管４１の突起部４１ｂ内に嵌入されて、上記カバー部材４５を突起部４１ｂ内の下面に挟み込んだ状態で、突起部４１ｂの外周に固定リング４８が嵌め合わされて、この固定リング４８は、上部内周に形成された雌ねじ部を突起部４１ｂの外周に形成された雄ねじ部にねじ込みながら、上向き突起部４８ａで第２フィルタ４６のツバ部４６ａをカバー部材４５とともに突起部４１ｂ内の下面に押え込むようになる。
【００７２】
上記のように構成した第２実施形態のサイフォン式浄水器３１の作用を説明する。
【００７３】
浄水器本体７の蓋部材１１を開いて、未浄化水を注水口５ａから上瓶体５内に供給すると、未浄化水は、矢印ｐで示すように、仕切り部材８の凹部８ａと第１フィルタ組立体３２Ａのケース３５Ａ，３５Ｂとの間の浄水路ｃとなる隙間に流入し、この凹部８ａの底部８ｆと有孔下板３９ｂとの間の浄水路ｄとなる隙間から、矢印ｑで示すように、有孔下板３９ｂ、下段第１フィルタ３７Ｂ、有孔上板３９ａ、下段有孔下板３８ｂ、上段第１フィルタ３７Ａ、有孔上板３８ａを下から上に順に通って浄化されて第１次浄化水となる。
【００７４】
この第１次浄化水は、通水孔３５ｃを通り、浄化路用密閉空間１８から継ぎ管４２の通水４２ａを通ってサイフォン管２１の上端２１ａに流入し、矢印ｒで示すように、このサイフォン管２１の下端２１ｂからカバー部材４５の通水孔４５ｃを通って第２フィルタ４６内に入り、第２フィルタ４６を内から外に透水して再浄化されて第２次浄化水となり、下瓶体６内に流入して溜められるようになる。
【００７５】
上記第２実施形態のサイフォン式浄水器３１であれば、未浄化水は、第１フィルタ３７Ａ，３７Ｂを下から上に通るようになるから、第１フィルタ３７Ａ，３７Ｂ中に含まれる空気は、未浄化水の通過によって下から上に追い出されて排出されるようになる。
【００７６】
これにより、第１フィルタ３７Ａ，３７Ｂから空気が完全に抜かれるので、第１フィルタ３７Ａ，３７Ｂ全体の浄化性能を有効に活用できて、浄化性能が向上するとともに、第１フィルタ３７Ａ，３７Ｂの耐久性が長くなる。また、第１フィルタ３７Ａ，３７Ｂ中に空気が残らないので、未浄化水が通過するときの抵抗が少なくなって、スムーズに通過できるようになる。
【００７７】
さらに、未浄化水は、第１フィルタ３７Ａ，３７Ｂを下から上に通るから、未浄化水に微小な不純物が含まれている場合、未浄化水の水流方向は、この不純物の重量による沈殿方向（下向き）と逆向き（上向き）となるので、不純物が第１フィルタ３７Ａ，３７Ｂを通過するおそれが少なくなる。
【００７８】
さらにまた、第２フィルタ４６を設けて再浄化しているから、浄化性能がより向上するようになる。なお、第１フィルタ３７Ａ，３７Ｂを粗目とし、第２フィルタ４６を細目とするように、浄化性能の異なるものを用いることが好ましい。
【００７９】
上記サイフォン式浄水器１の第１フィルタ組立体３２Ａは、例えば図４（ｂ）に示す第１フィルタ組立体３２Ｂのように、有孔下板３８ｂと有孔上板３９ａを無くして、第１フィルタ３７Ａ，３７Ｂを一体化した第１フィルタ３７とすることもできる。
【００８０】
また、図５に示すように、上記仕切り部材８を上瓶体５の下端部に一体的に設けるようにすることもできる。
【図面の簡単な説明】
【図１】第１実施形態のサイフォン式浄水器の側面断面図である。
【図２】（ａ）〜（ｄ）は、それぞれ第１実施形態の第１フィルタ組み立て体の側面断面図である。
【図３】第２実施形態のサイフォン式浄水器の側面断面図である。
【図４】（ａ）（ｂ）は、それぞれ第２実施形態の第１フィルタ組み立て体の側面断面図である。
【図５】第２実施形態の変形例のサイフォン式浄水器の側面断面図である。
【符号の説明】
１，３１　　サイフォン式浄水器
２Ａ〜２Ｆ，３２Ａ，３２Ｂ　第１フィルタ組立体
３，３３　　　第２フィルタ組立体
５　　　上瓶体
５ａ　　注水口
６　　　下瓶体
６ａ　　排水口
７　　　浄水器本体
８　　　仕切り部材
８ａ　　凹部
１０　　第１固定リング
１１　　蓋部材
１２　　弁部材
１５，３５Ａ，３５Ｂ　　ケース
１６，３７Ａ，３７Ｂ　　第１フィルタ
２１　　サイフォン管
２１ａ　上端
２１ｂ　下端
２３　　第２固定リング
２６　　カバー
２７，４６　　第２フィルタ
２９　　ケース
４０　　密閉部材
４０ａ　固定筒部
４１　　芯管
４１ａ　フランジ部
４２　　継ぎ管
４２ａ　通水孔
４５　　カバー部材
ａ〜ｄ　浄水路
【図１】
0003096959.tif 000003
【図２】
0003096959.tif 000004
【図３】
0003096959.tif 000005
【図４】
0003096959.tif 000006
【図５】
0003096959.tif 000007